【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
始動条件の成立に基づいて変動表示される図柄が所定の当り態様で停止表示されると、大入賞口の開放動作が行われる当り遊技を実行する遊技機であって、
前記当り遊技中に所定の当り遊技演出を実行する当り遊技演出実行手段と、
所定の開始条件の成立に基づいて、複数回の前記当り遊技が実行され得る連荘期間を開始させ、所定の終了条件の成立に基づいて前記連荘期間を終了させる連荘期間制御手段と、
を備え、
前記当り遊技演出実行手段は、
前記連荘期間における前記当り遊技では、所定の演出パターンに基づいて前記当り遊技演出を実行し、
前回の前記連荘期間における前記当り遊技で実行した前記当り遊技演出の演出内容を、今回の前記連荘期間における前記当り遊技で実行する前記当り遊技演出の演出内容に反映させることが可能である
ことを特徴とする遊技機。
【請求項２】
請求項１記載の遊技機であって、
前記当り遊技演出実行手段は、
前回の前記連荘期間における前記当り遊技での前記当り遊技演出にて特定の演出を実行済でない場合には、今回の前記連荘期間における前記当り遊技での前記当り遊技演出にて所定の通常演出を実行し、
前回の前記連荘期間における前記当り遊技での前記当り遊技演出にて特定の演出を実行済である場合には、今回の前記連荘期間における前記当り遊技での前記当り遊技演出にて所定の特殊演出を実行する
ことを特徴とする遊技機。
【手続補正２】
【補正対象書類名】明細書
【補正対象項目名】０００６
【補正方法】変更
【補正の内容】
【０００６】
本発明の遊技機は、上述の主目的を達成するために以下の手段を採った。
すなわち、本発明の遊技機は、
始動条件の成立に基づいて変動表示される図柄が所定の当り態様で停止表示されると、大入賞口の開放動作が行われる当り遊技を実行する遊技機であって、
前記当り遊技中に所定の当り遊技演出を実行する当り遊技演出実行手段と、
所定の開始条件の成立に基づいて、複数回の前記当り遊技が実行され得る連荘期間を開始させ、所定の終了条件の成立に基づいて前記連荘期間を終了させる連荘期間制御手段と、
を備え、
前記当り遊技演出実行手段は、
前記連荘期間における前記当り遊技では、所定の演出パターンに基づいて前記当り遊技演出を実行し、
前回の前記連荘期間における前記当り遊技で実行した前記当り遊技演出の演出内容を、今回の前記連荘期間における前記当り遊技で実行する前記当り遊技演出の演出内容に反映させることが可能である
ことを要旨とする。
こうした本発明の遊技機において、
前記当り遊技演出実行手段は、
前回の前記連荘期間における前記当り遊技での前記当り遊技演出にて特定の演出を実行済でない場合には、今回の前記連荘期間における前記当り遊技での前記当り遊技演出にて所定の通常演出を実行し、
前回の前記連荘期間における前記当り遊技での前記当り遊技演出にて特定の演出を実行済である場合には、今回の前記連荘期間における前記当り遊技での前記当り遊技演出にて所定の特殊演出を実行する
こととしてもよい。
【手続補正３】
【補正対象書類名】明細書
【補正対象項目名】０００７
【補正方法】変更
【補正の内容】
【０００７】
本明細書において参考的に開示する参考発明の遊技機は、
始動条件が成立すると、図柄を変動表示させて停止表示させる図柄変動遊技を実行し、該図柄変動遊技にて当り図柄が停止表示すると、所定の当り遊技を実行する遊技機であって、
所定の開始条件が成立すると、前記当り遊技中に行われる演出あるいは前記図柄変動遊技中に行われる演出が前記当り遊技の実行に基づいて段階的に進行する特別演出期間を開始し、所定の終了条件が成立すると、前記特別演出期間を終了する特別演出期間発生手段と、
前記特別演出期間における演出の進行パターンとして、異なる演出を進行させる複数の進行パターンを記憶する進行パターン記憶手段と、
前記複数の進行パターンの何れで前記特別演出期間中に演出を進行させるかを決定する進行パターン決定手段と、
前記特別演出期間中に前記当り遊技が実行されると、前記進行パターン決定手段によって決定された進行パターンに従って演出を進行させる演出進行手段と、
前回の前記特別演出期間で実行された演出内容に関する情報を記憶する演出内容記憶手段と、を備え、
前記進行パターン記憶手段は、前記複数の進行パターンとして、第１進行パターンと、該第１進行パターンに従って進行する演出のうちの所定の進行段階の演出に関連する特殊演出または該所定の進行段階の演出に関連しない通常演出を、特定の進行段階で実行可能な第２進行パターンと、を少なくとも記憶しており、
前記演出進行手段は、
前記特別演出期間中に前記第２進行パターンに従って演出を進行させる場合であって、前記演出内容記憶手段が前記第１進行パターンに従い前記所定の進行段階の演出が実行されたことを示す特定情報を記憶している場合には、該第２進行パターンにおける前記特定の進行段階で前記特殊演出を実行し、
前記特別演出期間中に前記第２進行パターンに従って演出を進行させる場合であって、前記演出内容記憶手段が前記特定情報を記憶していない場合には、該第２進行パターンにおける前記特定の進行段階で前記通常演出を実行する
ことを要旨とする。
【手続補正４】
【補正対象書類名】明細書
【補正対象項目名】０００８
【補正方法】変更
【補正の内容】
【０００８】
この参考発明の遊技機では、第１進行パターンと第２進行パターンとを含む複数の進行パターンの何れかを「特別演出期間中に実行される演出の進行パターン」として決定し、第２進行パターンで演出を進行させる場合であって、前回の特別演出期間における演出内容が「第１進行パターンに従って演出が進行し、且つ、第１進行パターンにおける所定の進行段階の演出が実行されたこと」を含む場合には、今回の特別演出期間中に実行される演出の少なくとも一部（第２進行パターンに従って進行する演出の少なくとも一部）を、「第１進行パターンにおける所定の進行段階の演出に関連する特殊演出」に変化させることとしている。これにより、前回の特別演出期間の進行内容（前回の特別演出期間中に実行された演出内容）を今回の特別演出期間中に実行される演出に反映させることができ、複数回の特別演出期間の各々で実行される演出を関連付けるという新たな演出形態を実現できる。そして、こうした演出形態により、特別演出期間中の演出バリエーションを多彩にするととともに、特別演出期間が終了しても、該終了した特別演出期間の進行内容に応じて、次回の特別演出期間に対する興味を遊技者に抱かせることができ、ひいては、遊技者に次回の特別演出期間が開始されるまで遊技を継続する意欲を湧かせることができる。この結果、従来に比べ遊技興趣の向上を図ることができる。
【手続補正５】
【補正対象書類名】明細書
【補正対象項目名】０００９
【補正方法】変更
【補正の内容】
【０００９】
こうした参考発明の遊技機において、前記演出進行手段は、前記特別演出期間中に前記第２進行パターンに従って演出を進行させる場合であって、前記演出内容記憶手段が前記第１進行パターンにおける複数段階目の演出が実行されたことを示す前記特定情報を記憶している場合には、該第２進行パターンにおける前記特定の進行段階で前記特殊演出を実行し、前記特別演出期間中に前記第２進行パターンに従って演出を進行させる場合であって、前記演出内容記憶手段が前記特定情報を記憶していない場合には、該第２進行パターンにおける前記特定の進行段階で前記通常演出を実行することとしてもよい。このような構成によれば、今回の特別演出期間にて特殊演出が実行されるに際して、前回の特別演出期間中に複数回の当り遊技が実行されていることが必要となるため、特殊演出の希少性を高めて上述の演出形態をより効果的に実施でき、遊技興趣を一層向上させることができる。
【手続補正６】
【補正対象書類名】明細書
【補正対象項目名】００１０
【補正方法】変更
【補正の内容】
【００１０】
また、参考発明の遊技機において、前記演出進行手段は、前記特別演出期間中に前記第２進行パターンに従って演出を進行させる場合であって、前記演出内容記憶手段が前記特定情報を記憶している場合には、該第２進行パターンにおける複数段階目で前記特殊演出を実行し、前記特別演出期間中に前記第２進行パターンに従って演出を進行させる場合であって、前記演出内容記憶手段が前記特定情報を記憶していない場合には、該第２進行パターンにおける前記複数段階目で前記通常演出を実行することとしてもよい。このような構成によれば、今回の特別演出期間にて特殊演出が実行されるに際して、「前回の特別演出期間中に複数回の当り遊技が実行されていること」および「今回の特別演出期間中に複数回の当り遊技が実行されていること」が必要となるため、特殊演出の希少性をより高めて上述の演出形態をより効果的に実施でき、遊技興趣を一層向上させることができる。
【手続補正７】
【補正対象書類名】明細書
【補正対象項目名】００１１
【補正方法】変更
【補正の内容】
【００１１】
また、参考発明の遊技機において、前記第１進行パターンには、前記所定の進行段階の演出として、第１演出または第２演出を所定の抽選の結果に応じて択一的に実行可能に構成され、前記演出進行手段は、前記特別演出期間中に前記第２進行パターンに従って演出を進行させる場合であって、前記演出内容記憶手段が前記第１進行パターンに従い前記所定の進行段階で前記第２演出が実行されたことを示す前記特定情報を記憶している場合には、該第２進行パターンにおける前記特定の進行段階で前記特殊演出を実行し、前記特別演出期間中に前記第２進行パターンに従って演出を進行させる場合であって、前記演出内容記憶手段が前記特定情報を記憶していない場合には、該第２進行パターンにおける前記特定の進行段階で前記通常演出を実行することとしてもよい。このような構成によれば、今回の特別演出期間にて特殊演出が実行されるに際して、「前回の特別演出期間中に第２演出が実行されていること」が必要となるため、特殊演出の希少性をより高めて上述の演出形態をより効果的に実施でき、遊技興趣を一層向上させることができる。
【手続補正８】
【補正対象書類名】明細書
【補正対象項目名】００１３
【補正方法】変更
【補正の内容】
【００１３】
さらに、参考発明の遊技機において、前記演出進行手段は、前記特別演出期間中に前記第２進行パターンに従って演出を進行させる場合であって、前記演出内容記憶手段が前記特定情報を記憶している場合に、該第２進行パターンにおける前記特定の進行段階で前記特殊演出を実行するか否かを決定する抽選を行い、該抽選の結果が当りであれば前記特殊演出を実行し、該抽選の結果が外れであれば前記通常演出を実行することとしてもよい。このような構成によれば、前回の特別演出期間の進行内容が今回の特別演出期間の進行内容に反映されるか否かが、実行済みの進行内容に加えて抽選の結果に応じて決まることになるため、特殊演出の希少性をより高めて上述の演出形態をより効果的に実施でき、遊技興趣を一層向上させることができる。
【手続補正９】
【補正対象書類名】明細書
【補正対象項目名】００１４
【補正方法】変更
【補正の内容】
【００１４】
また、参考発明の遊技機において、遊技者によって操作可能な操作部を設け、前記進行パターン決定手段は、前記操作部に対する操作を受けて、遊技者によって前記進行パターンを選択可能に構成されることとしてもよい。こうすれば、「前回の特別演出期間の進行内容に基づき、今回の特別演出期間の進行パターンを選択する」といった従来にない新たな選択材料を遊技者に与えて進行パターンを選択させる新たな演出形態を実現できる。この結果、遊技興趣をさらに向上させることができる。